(57)【要約】【課題】操作性を損なうことなく従来よりも装置の奥行き寸法を短くすることができ、装置の応用分野を広げることができるボタン錠を提供する。【解決手段】ボタン錠は、センスカム３２の開錠不能位置から開錠可能位置への移動を許可する移動許可位置およびセンスカム３２の開錠不能位置から開錠可能位置への移動を禁止する移動禁止位置に回転可能なダイヤル３６（３７、３８）と、ダイヤル３６（３７、３８）の回転中心軸と直交する方向に移動可能に配設され、移動に伴ってダイヤル３６（３７、３８）を所定角度だけ回転させるプッシュボタン５２（５３、５４）と、を備える。そして、ロッキングバー１４が施錠位置にある場合に、プッシュボタン５２（５３、５４）によってダイヤル３６（３７、３８）を移動禁止位置から移動許可位置まで回転させた後、センスカム３２を開錠不能位置から開錠可能位置へ移動させてロッキングバー１４を開錠位置まで移動可能とする。【選択図】図３
2010203107.tif 000002
【特許請求の範囲】
【請求項１】
開錠位置と施錠位置との間を移動可能なロッキングバーと、
前記ロッキングバーの前記開錠位置への移動を可能とする開錠可能位置、および前記ロッキングバーの前記開錠位置への移動を不能とする開錠不能位置の間を移動可能なセンスカムと、
前記センスカムの前記開錠不能位置から前記開錠可能位置への移動を許可する移動許可位置、および前記センスカムの前記開錠不能位置から前記開錠可能位置への移動を禁止する移動禁止位置に回転可能なダイヤルと、
前記ダイヤルの回転中心軸と直交する方向に移動可能に配設され、移動に伴って前記ダイヤルを所定角度だけ回転させる操作部と、を備え、
前記ロッキングバーが前記施錠位置にある場合に、前記操作部によって前記ダイヤルを前記移動禁止位置から前記移動許可位置まで回転させた後、前記センスカムを前記開錠不能位置から前記開錠可能位置へ移動させて前記ロッキングバーを前記開錠位置まで移動可能とすることを特徴とする、
ボタン錠。
【請求項２】
前記移動禁止位置から前移動許可位置までの回転角度を異ならせた複数種類の前記ダイヤルを備え、
前記複数種類のダイヤルの各々に対応する前記操作部によって前記複数種類のダイヤルすべてを前記移動禁止位置から前記移動許可位置まで回転させた場合にのみ、前記センスカムを前記開錠不能位置から前記開錠可能位置へ移動可能とすることを特徴とする、
請求項１に記載のボタン錠。
【請求項３】
前記移動禁止位置以外の位置にある前記ダイヤルのすべてを前記移動禁止位置まで回転させるリセット手段を有するリターンプレートをさらに備えたことを特徴とする、
請求項１または２に記載のボタン錠。
【請求項４】
前記ダイヤルの回転を規制する回転規制部材をさらに備え、
前記リターンプレートは、
前記移動禁止位置以外の位置にある前記ダイヤルのすべてを前記移動禁止位置まで回転させる前に、前記回転規制部材による前記ダイヤルの回転規制を解除する回転規制解除手段をさらに備えることを特徴とする、
請求項３に記載のボタン錠。
【請求項５】
前記リターンプレートは、
前記ダイヤルの回転を規制する回転規制手段をさらに備えることを特徴とする、
請求項３または４に記載のボタン錠。
【請求項６】
前記リターンプレートは、
第１の位置と第２の位置の間をスライド可能に構成され、
前記第１の位置において、前記回転規制手段によって前記ダイヤルの回転を規制し、
前記第１の位置から前記第２の位置へ移動する間に、前記回転規制解除手段によって前記回転規制部材による前記ダイヤルの回転規制を解除し、
前記第２の位置において、前記リセット手段によって前記移動禁止位置以外の位置にある前記ダイヤルのすべてを前記移動禁止位置まで回転させることを特徴とする、
請求項５に記載のボタン錠。
【請求項７】
前記ロッキングバー、前記センスカム、前記ダイヤル、および前記操作部の少なくとも一部を内部に収容可能なケースと、
前記ケースに移動可能に配設され、前記ロッキングバーを前記開錠位置と前記施錠位置との間で移動させるロッキングカムと、
前記ケースと前記ロッキングカムに同時に係合されて前記ケースに対する前記ロッキングカムの移動を規制する移動規制手段と、をさらに備え、
前記センスカムは、
前記開錠許可位置において前記移動規制手段と前記ケースとの係合を解除して前記ケースに対する前記ロッキングカムの移動を許可することを特徴とする、
請求項１〜６のいずれかに記載のボタン錠。
【発明の詳細な説明】
【技術分野】
【０００１】
本発明は、複数の操作ボタンを用いて錠前の施錠または開錠を行うボタン錠に関する。
【背景技術】
【０００２】
従来、複数の操作ボタンと、錠前の施開錠機構とを備え、操作ボタンの操作に基づいて施開錠機構を作動させ、錠前の施開錠を可能としたボタン錠が広く知られている。例えば、特許文献１には、操作ボタンの同軸上にボタンギヤを配置し、これら操作ボタンとボタンギヤとを係合かつ同軸方向へ移動可能とすることによって、部品点数の低減、構成の簡素化などを実現可能としたボタン錠が提案されている。
【先行技術文献】
【特許文献】
【０００３】
【特許文献１】特許３５４２７９７号公報
【発明の概要】
【発明が解決しようとする課題】
【０００４】
しかしながら、上記特許文献１に記載のボタン錠では、操作ボタンとボタン錠を同軸上に配置している上に、両者を同軸方向に移動可能な構成としているため、奥行き寸法を短くすることが難しく、ボタン錠の小型化には限界があった。
【０００５】
本発明は、このような従来の問題点を解決するためになされたものであって、操作性を損なうことなく従来よりも装置の奥行き寸法を短くすることができ、装置の応用分野を広げることができるボタン錠を提供することを目的とする。
【課題を解決するための手段】
【０００６】
（１）本発明は、開錠位置と施錠位置との間を移動可能なロッキングバーと、前記ロッキングバーの前記開錠位置への移動を可能とする開錠可能位置、および前記ロッキングバーの前記開錠位置への移動を不能とする開錠不能位置の間を移動可能なセンスカムと、前記センスカムの前記開錠不能位置から前記開錠可能位置への移動を許可する移動許可位置、および前記センスカムの前記開錠不能位置から前記開錠可能位置への移動を禁止する移動禁止位置に回転可能なダイヤルと、前記ダイヤルの回転中心軸と直交する方向に移動可能に配設され、移動に伴って前記ダイヤルを所定角度だけ回転させる操作部と、を備え、前記ロッキングバーが前記施錠位置にある場合に、前記操作部によって前記ダイヤルを前記移動禁止位置から前記移動許可位置まで回転させた後、前記センスカムを前記開錠不能位置から前記開錠可能位置へ移動させて前記ロッキングバーを前記開錠位置まで移動可能とすることを特徴とする、ボタン錠である。
【０００７】
（２）本発明はまた、前記移動禁止位置から前移動許可位置までの回転角度を異ならせた複数種類の前記ダイヤルを備え、前記複数種類のダイヤルの各々に対応する前記操作部によって前記複数種類のダイヤルすべてを前記移動禁止位置から前記移動許可位置まで回転させた場合にのみ、前記センスカムを前記開錠不能位置から前記開錠可能位置へ移動可能とすることを特徴とする、前記（１）に記載のボタン錠である。
【０００８】
（３）本発明はまた、前記移動禁止位置以外の位置にある前記ダイヤルのすべてを前記移動禁止位置まで回転させるリセット手段を有するリターンプレートをさらに備えたことを特徴とする、前記（１）または（２）に記載のボタン錠である。
【０００９】
（４）本発明はまた、前記ダイヤルの回転を規制する回転規制部材をさらに備え、前記リターンプレートは、前記移動禁止位置以外の位置にある前記ダイヤルのすべてを前記移動禁止位置まで回転させる前に、前記回転規制部材による前記ダイヤルの回転規制を解除する回転規制解除手段をさらに備えることを特徴とする、前記（３）に記載のボタン錠である。
【００１０】
（５）本発明はまた、前記リターンプレートは、前記ダイヤルの回転を規制する回転規制手段をさらに備えることを特徴とする、前記（３）または（４）に記載のボタン錠である。
【００１１】
（６）本発明はまた、前記リターンプレートは、第１の位置と第２の位置の間をスライド可能に構成され、前記第１の位置において、前記回転規制手段によって前記ダイヤルの回転を規制し、前記第１の位置から前記第２の位置へ移動する間に、前記回転規制解除手段によって前記回転規制部材による前記ダイヤルの回転規制を解除し、前記第２の位置において、前記リセット手段によって前記移動禁止位置以外の位置にある前記ダイヤルのすべてを前記移動禁止位置まで回転させることを特徴とする、前記（５）に記載のボタン錠である。
【００１２】
（７）本発明はまた、前記ロッキングバー、前記センスカム、前記ダイヤル、および前記操作部の少なくとも一部を内部に収容可能なケースと、前記ケースに移動可能に配設され、前記ロッキングバーを前記開錠位置と前記施錠位置との間で移動させるロッキングカムと、前記ケースと前記ロッキングカムに同時に係合されて前記ケースに対する前記ロッキングカムの移動を規制する移動規制手段と、をさらに備え、前記センスカムは、前記開錠許可位置において前記移動規制手段と前記ケースとの係合を解除して前記ケースに対する前記ロッキングカムの移動を許可することを特徴とする、前記（１）〜（６）のいずれかに記載のボタン錠である。
【発明の効果】
【００１３】
本発明に係るボタン錠は、操作性を損なうことなく従来よりも装置の奥行き寸法を短くすることができ、装置の応用分野を広げることができる。
【図面の簡単な説明】
【００１４】
【図１】実施例１に係るボタン錠の外観斜視図である。
【図２】ボタン錠が設置される机の一例を示す正面図である。
【図３】（ａ）〜（ｃ）ケースの天板および施開錠機構のリターンプレートを取り除いた状態のボタン錠の平面図である。
【図４】（ａ）、（ｂ）ケースの天板および施開錠機構のリターンプレートを取り除いた状態のボタン錠の平面図である。
【図５】（ａ）〜（ｃ）施開錠機構のセンスカム周辺に配設される部材のみを抜き出して示した図である。
【図６】ボタン錠の底面図である。
【図７】（ａ）、（ｂ）ダイヤルの斜視図である。（ｃ）ダイヤルの底面図である。（ｄ）ダイヤルの平面図である。
【図８】（ａ）、（ｂ）ダイヤルの回転駆動の様子を示した図である。（ｃ）プッシュボタン、連結カム、連結カムバネの斜視図である。
【図９】（ａ）リターンプレートの正面斜視図である。（ｂ）リターンプレートの背面斜視図である。（ｃ）リターンプレートの正面図である。
【図１０】（ａ）〜（ｃ）リターンプレートの動きを示した図である。
【図１１】（ａ）〜（ｄ）リターンプレートとダイヤルの動きを拡大して示した図である。
【図１２】（ａ）、（ｂ）はケース、リターンプレート、およびダイヤルの位置関係を示した側面図である。
【図１３】本実施例２に係るボタン錠の外観斜視図である。
【図１４】ボタン錠の内部構成の一部を示した図である。
【図１５】（ａ）プッシュボタンの外観斜視図である。（ｂ）ダイヤルカムの外観斜視図である。（ｃ）ダイヤルの外観斜視図である。
【図１６】（ａ）ボタン錠からプッシュボタン、ダイヤルカム、およびダイヤルだけを抜き出して側方から見た側面図である。（ｂ）ボタン錠からプッシュボタン、ダイヤルカム、ダイヤル、および板バネだけを抜き出して上方から見た平面図である。
【図１７】（ａ）センスカムの外観斜視図である。（ｂ）ボタン錠からセンスカム、センスカムバネ、およびダイヤルだけを抜き出して側方から見た側面図である。
【図１８】（ａ）、（ｂ）リターンプレートの外観斜視図である。
【図１９】（ａ）ボタン錠からリセットボタン、リセットカム、リターンプレート、およびダイヤルだけを抜き出して側方から見た側面図である。（ｂ）（ａ）のリターンプレートの主要部を反対側の面から見た図である。
【発明を実施するための形態】
【００１５】
以下、図面を用いて、本実施例１、２に係るボタン錠について詳細に説明する。
【実施例１】
【００１６】
＜全体構成＞
まず、図１〜図４を用いて、実施例１に係るボタン錠１０の全体構成について説明する。なお、図１は実施例１に係るボタン錠１０の外観斜視図であり、図２はボタン錠１０が設置される机の一例を示す正面図である。また、図３（ａ）〜（ｃ）および図４（ａ）、（ｂ）はケース１２の天板１２ｂおよび施開錠機構２０のリターンプレートを取り除いた状態のボタン錠１０の平面図である。
【００１７】
ボタン錠１０は、箱状のケース１２（１２ａ、１２ｂ）と、このケース１２内を長手方向にスライド可能なロッキングバー１４と、このロッキングバー１４による錠前の施開錠を制御する施開錠機構２０と、この施開錠機構２０に対する各種操作を行うための操作部５０（５１〜５５）と、を有して構成されている。
【００１８】
このボタン錠１０は、例えば、図２に示すように、机２の引き出し２ａに嵌め込まれて設置される。そして、操作部５０の操作によってロッキングバー１４が施錠位置に移動されると、引き出し２ａからロッキングバー１４が突出し、引き出し２ａをスライド可能に支持する枠体にロッキングバー１４が係合され、引き出し２ａを施錠状態（スライド不能状態）とする。一方、操作部５０の操作によってロッキングバー１４が開錠位置に移動されると、枠体からロッキングバー１４が退出し、引き出し２ａを開錠状態（スライド可能状態）とする。
【００１９】
＜ケース＞
ケース１２は、図１に示すように、開口部を有する箱状の本体ケース１２ａと、この本体ケース１２ａの開口部に着脱可能に取付けられる板状の天板１２ｂによって構成され、その内部に、後述する施開錠機構２０を構成する各種部材が収容される。
【００２０】
＜ロッキングバー＞
ロッキングバー１４は、図３（ａ）に示すように、施開錠機構２０の第２ロッキングカム３０ｂに係合される係合溝が形成された係合片１４ａと、この係合片１４ａを基端として延出形成された板状の板状部１４ｂによって構成されている。
【００２１】
＜操作部＞
操作部５０は、図１に示すように、後述する「リセット操作」を行うための１つのリセットボタン５１と、後述する「暗証番号入力操作」を行うための３つのプッシュボタン５２〜５４と、後述する「開錠操作」を行うための１つの摘み５５で構成されている。なお、本発明に係る「操作ボタン」や「摘み」の数・形状・配置などは、この例に限定されるものではない。
【００２２】
＜施開錠機構＞
次に、図３〜図５を用いて、上述の施開錠機構２０について詳細に説明する。なお、図５（ａ）〜（ｃ）は、施開錠機構２０のセンスカム３２周辺に配設される部材のみを抜き出して示した図である。
【００２３】
施開錠機構２０は、図３（ａ）および図５（ａ）に示すように、ロッキングバー１４のスライドを規制する規制手段３０（３０ａ〜３０ｄ）と、この規制手段３０による規制を解除または保持するセンスカム３２と、３つのプッシュボタン５２〜５４の各々に対応して配設された３つのダイヤル３６〜３８と、３つのプッシュボタン５２〜５４の各々に設けられた連結カム４２〜４４と、リセットボタン５１によって駆動される第１リセットカム４０および第２リセットカム４１と、この第２リセットカム４１によってスライドされるリターンプレート４９（図１０参照）と、を有して構成されている。
【００２４】
＜規制手段＞
次に、図３〜図６を用いて、上述の規制手段３０について詳細に説明する。なお、図６は、ボタン錠１０の底面図である。
【００２５】
規制手段３０は、図３（ａ）および図５に示すように、ケース１２上に回動自在に配設された第１ロッキングカム３０ａおよび第２ロッキングカム３０ｂと、この第２ロッキングカム３０ｂに内挿されたバネ部材３０ｃによってケース１２の外側に向けて付勢されたロッキングピン３０ｄを有して構成されている。
【００２６】
第１ロッキングカム３０ａは、摘み５５に係合可能な位置に配設されており、摘み５５のＡ方向（図３（ａ）参照）のスライドに伴ってＢ方向（図３（ａ）参照）に回転駆動される。また、第１ロッキングカム３０ａの外周面の一部には、ギヤが形成されている。
【００２７】
第２ロッキングカム３０ｂの外周面の一部には、第１ロッキングカム３０ａのギヤに噛合可能なギヤが形成されており、第１ロッキングカム３０ａのＢ方向の回転に伴ってＣ方向（図３（ａ）参照）に回転駆動される。また、第２ロッキングカム３０ｂは、ロッキングバー１４の係合片１４ａの係合溝に係合される腕部を有している。第２ロッキングカム３０ｂの腕部は、自身のＣ方向の回転に伴って、ロッキングバー１４を、図３（ａ）に示す施錠位置（ロッキングバー１４の板状部１４ｂがケース１２の外部に突出する位置）から、Ｄ方向（図３（ａ）参照）の開錠位置（ロッキングバー１４の板状部１４ｂがケース１２の内部に収容される位置）までスライドさせる。
【００２８】
ロッキングピン３０ｄは、センスカム３２が図５（ｂ）に示す開錠不能位置（詳細は後述）にある場合には、バネ部材３０ｃの付勢力により本体ケース１２ａの外側に向けて付勢されて本体ケース１２ａの底面に形成された貫通孔１２ａ１（図６参照）に入り込み、第２ロッキングカム３０ｂの回動を不能にする。一方、ロッキングピン３０ｄは、センスカム３２が図５（ｂ）に示す開錠不能位置から同図（ｃ）に示す開錠可能位置（詳細は後述）に移動した場合には、センスカム３２の板状部３２ｂに形成された傾斜面に乗り上げて本体ケース１２ａの貫通孔１２ａ１から退出し、第２ロッキングカム３０ｂの回動を可能にする。
【００２９】
＜センスカム＞
次に、図５を用いて、上述のセンスカム３２について詳細に説明する。センスカム３２は、ダイヤル３６〜３８を個別に収容可能な３つの半円形状のダイヤル収容部３２ａと、端部に傾斜面が形成された薄肉板状の板状部３２ｂと、センスカムバネ３４の一端部が嵌め込まれる円筒形状のバネ受け部３２ｃと、上述の第１リセットカム４０に係合される棒状の係合ピン３２ｄを有して構成されている。
【００３０】
ダイヤル収容部３２ａの内周面には、ダイヤル３６〜３８に形成された三角形状の凹部と相補的形状を有する凸部が第２ロッキングカム３０ｂの方向に向けて突出形成されている。センスカムバネ３４は、本体ケース１２ａとセンスカム３２（のバネ受け部３２ｃ）との間に縮められた状態で配設され、センスカム３２は、このセンスカムバネ３４によってロッキングピン３０ｄの方向に付勢されている。
【００３１】
センスカム３２は、同図（ｃ）に示すように、ダイヤル３６〜３８の凹部のすべてが、ダイヤル収容部３２ａの凸部と噛み合った場合（ダイヤル３６〜３８のすべてがセンスカム３２の開錠不能位置から開錠可能位置への移動を許可する移動許可位置に回転された場合）に、板状部３２ｂによってロッキングピン３０ｄを上方に持ち上げてロッキングピン３０ｄによる第２ロッキングカム３０ｂの回動の規制を解除する位置（ロッキングバー１４の開錠位置への移動を可能とする開錠可能位置）まで移動可能である。
【００３２】
一方、センスカム３２は、同図（ｂ）に示すように、ダイヤル３６〜３８の凹部のいずれか１つ（この例では、すべて）が、ダイヤル収容部３２ａの凸部と噛み合っていない場合（ダイヤル３６〜３８のいずれかがセンスカム３２の開錠不能位置から開錠可能位置への移動を禁止する移動禁止位置に回転された場合）に、板状部３２ｂがロッキングピン３０ｄまで到達せずにロッキングピン３０ｄによる第２ロッキングカム３０ｂの回動の規制を保持する位置（ロッキングバー１４の開錠位置への移動を不能とする開錠不能位置）までしか移動することができない。すなわち、センスカム３２は、同図（ｂ）に示す開錠不能位置と、同図（ｃ）に示す開錠可能位置との間を移動可能に構成されている。
【００３３】
＜ダイヤル＞
次に、図７を用いて、上述のダイヤル３６〜３８について詳細に説明する。なお、図７（ａ）、（ｂ）はダイヤル３６（３７、３８）の斜視図であり、同図（ｃ）はダイヤル３６（３７、３８）の底面図であり、同図（ｄ）はダイヤル３６（３７、３８）の平面図である。
【００３４】
ダイヤル３６〜３８は、図７に示すように、外周面に複数の外歯６０ａが形成された円筒形状の本体部６０と、この本体部６０の一方側に形成された、平面視がハート形状のハートカム６２と、本体部６０の他方側に形成されたセンスギヤ６４によって構成されている。
【００３５】
本体部６０の外周面には、複数（この例では１０個）の外歯６０ａが全周に亘って同一間隔で（この例では、本体部６０の軸心を中心として３６度おきに）突出形成されている。ハートカム６２は、後述するリセット操作時にリターンプレート４９のゼロリセット用凸部４９ｄが嵌め込まれる凹部を備える。また、センスギヤ６４は、センスカム３２のダイヤル収容部３２ａの凸部と相補的形状を有する凹部を備える。なお、図７（ｃ）、（ｄ）には、代表例として、ハートカム６２の凹部とセンスギヤ６４の凹部の周方向の位置を同一に設定したダイヤルを示しているが、ダイヤル３６〜３８は、この他に、ハートカム６２の凹部とセンスギヤ６４の凹部の周方向の位置を、３６度、７２度、１０８度、１４４度、１８０度、２１６度、２５２度、２８８度、３２４度の角度だけずらして設定した９種類のダイヤルが存在し、合計で１０種類のダイヤルがある。これらの１０種類のダイヤルは、ボタン錠１０に初期設定される暗証番号に応じて適宜選択・配設される。
【００３６】
＜連結カム＞
次に、図８を用いて、上述の連結カム４２（４３、４４）について詳細に説明する。なお、図８（ａ）、（ｂ）はダイヤル３６（３７、３８）の回転駆動の様子を示した図であり、同図（ｃ）はプッシュボタン５２（５３、５４）、連結カム４２（４３、４４）、連結カムバネ４６（４７、４８）の斜視図である。
【００３７】
連結カム４２（４３、４４）は、図８（ｃ）に示すように、プッシュボタン５２（５３、５４）の端部近傍に形成された回転軸５２ｂ（５３ｂ、５４ｂ）に嵌め込まれる貫通孔４２ａ（４３ａ、４４ａ）と、上述の連結カムバネ４６（４７、４８）の一端部が嵌め込まれる円筒形状のバネ受け部４２ｂ（４３ｂ、４４ｂ）（図３（ａ）参照）と、ダイヤル３６（３７、３８）の外歯６０ａに係合される突出部４２ｃ（４３ｃ、４４ｃ）と、を有して構成されている。
【００３８】
連結カムバネ４６（４７、４８）は、本体ケース１２ａと連結カム４２（４３、４４）（のバネ受け部４３ａ（４３ｂ、４４ｂ））との間に縮められた状態で配設される。この連結カムバネ４６（４７、４８）は、連結カム４２（４３、４４）を介してプッシュボタン５２（５３、５４）を長手方向に押圧し、図３（ａ）に示すように、プッシュボタン５２（５３、５４）の一部を本体ケース１２ａから突出させるとともに、連結カム４２（４３、４４）の突出部４２ｃ（４３ｃ、４４ｃ）を、ダイヤル３６（３７、３８）の方向に付勢し、突出部４２ｃ（４３ｃ、４４ｃ）をダイヤル３６（３７、３８）の外歯６０ａに係合させる。
【００３９】
＜プッシュボタン＞
次に、図８（ｃ）を用いて、上述のプッシュボタン５２（５３、５４）について詳細に説明する。プッシュボタン５２（５３、５４）は、ダイヤル３６（３７、３８）の外歯に係合可能な突出部５２ａ（５３ａ、５４ａ）と、連結カム４２（４３、４４）が回動可能に配設される回転軸５２ｂ（５３ｂ、５４ｂ）を有して構成されている。
【００４０】
このプッシュボタン５２（５３、５４）は、図３（ａ）に示すように、本体ケース１２ａとダイヤル３６（３７、３８）との間に、プッシュボタン５２（５３、５４）の長手方向にスライド可能に配設されるとともに、連結カムバネ４６（４７、４８）に付勢された連結カム４２（４３、４４）を介して本体ケース１２ａの外側に向けて押圧される。
【００４１】
図８（ａ）および図３（ｂ）に示すように、連結カムバネ４６（４７、４８）の付勢力に抗してプッシュボタン５２（５３、５４）を押し込んで長手方向にスライドさせると、連結カム４２（４３、４４）の突出部４２ｃ（４３ｃ、４４ｃ）とダイヤル３６（３７、３８）の外歯６０ａとの係合が解除され、ダイヤル３６（３７、３８）が回動可能な状態となる。
【００４２】
続いて、さらにプッシュボタン５２（５３、５４）を押し込んで長手方向にスライドさせると、図３（ｃ）に示すように、プッシュボタン５２（５３、５４）の突出部５２ａ（５３ａ、５４ａ）が、ダイヤル３６（３７、３８）の外歯６０ａに接触・係合されて、ダイヤル３６（３７、３８）を１／２ピッチ（回転角度１８度）だけ時計回りに回転させる。
【００４３】
続いて、プッシュボタン５２（５３、５４）の押し込みを解除すると、図８（ｂ）および図４（ａ）、（ｂ）に示すように、プッシュボタン５２（５３、５４）は、連結カムバネ４６（４７、４８）に付勢された連結カム４２（４３、４４）を介して本体ケース１２ａの外側に向けて押圧されて操作開始位置（本体ケース１２ａから突出して押下操作が可能となる位置）に戻る。また、この際に、連結カムバネ４６（４７、４８）に付勢された連結カム４２（４３、４４）の突出部４２ｃ（４３ｃ、４４ｃ）が、ダイヤル３６（３７、３８）の外歯６０ａに接触・係合されて、ダイヤル３６（３７、３８）を１／２ピッチ（回転角度１８度）だけ時計回りに回転させる。すなわち、プッシュボタン５２（５３、５４）を押し込んで長手方向にスライドさせた後に、プッシュボタン５２（５３、５４）の押し込みを解除してプッシュボタン５２（５３、５４）を操作開始位置に戻すと、ダイヤル３６（３７、３８）は１ピッチ（回転角度３６度）だけ時計回りに回転される。
【００４４】
＜リターンプレート＞
次に、図９〜図１１を用いて、上述のリターンプレート４９について詳細に説明する。なお、図９（ａ）はリターンプレート４９の正面斜視図であり、同図（ｂ）はリターンプレート４９の背面斜視図であり、同図（ｃ）はリターンプレート４９の正面図である。また、図１０（ａ）〜（ｃ）はリターンプレート４９の動きを示した図であり、図１１（ａ）〜（ｄ）はリターンプレート４９とダイヤル３６（３７、３８）の動きを拡大して示した図であり、図１２（ａ）、（ｂ）はケース１２、リターンプレート４９、およびダイヤル３６（３７、３８）の位置関係を示した側面図である。
【００４５】
リターンプレート４９は、図９に示すように、ダイヤル３６〜３８を個別に収容可能な楕円形状の３つのダイヤル収容部４９ａと、短手方向一方側に間隔を空けて突出形成された３つの連結カム係合部４９ｂと、短手方向他方側に間隔を空けて突出形成された３つのガイド部４９ｃと、各々のダイヤル収容部４９ａに突出形成された平面視がほぼ三角形状の３つのゼロリセット用凸部４９ｄと、各々のダイヤル収容部４９ａ近傍に２つずつ突出形成された合計６つの逆転防止用凸部４９ｅと、リターンプレートバネ３３（図１０（ａ）参照）の一端部が嵌め込まれる棒状のバネ受け部４９ｆと、第２リセットカム４１の端部に突出形成された係合ピン４１ａ（図１０（ａ）参照）に係合される係合溝４９ｇと、を有して構成されている。
【００４６】
リターンプレート４９は、図１０（ａ）に示すように、第２リセットカム４１の本体と、３つのプッシュボタン５２（５３、５４）の突出部５２ａ（５３ａ、５４ａ）によって、長手方向（図１０（ａ）の左右方向）にスライド可能に支持されるとともに、その高さ位置が、ダイヤル収容部４９ａの各々に収容される３つのダイヤル３６〜３８のハートカム６２とほぼ同じ高さ位置に維持される。また、リターンプレート４９は、本体ケース１２ａとリターンプレート４９（のバネ受け部４９ｆ）との間に縮められた状態で配設されるリターンプレートバネ３３の付勢力によって第２リセットカム４１から離れる方向（図１０（ａ）の右方向）に付勢される。
【００４７】
図１０（ａ）に示すように、リセットボタン５１が操作開始位置（本体ケース１２ａから突出して押下操作が可能となる位置）にある場合には、リターンプレート４９は、リターンプレートバネ３３の付勢力によって第２リセットカム４１から離れる方向に移動されるが、逆転防止用凸部４９ｅがダイヤル３６（３７、３８）の外歯６０ａに係止されて移動が停止される（第１の位置に停止する）。この結果、ダイヤル３６（３７、３８）は、逆転防止用凸部４９ｅによって回転が制限される。また、この第１の位置においては、図１２に示すように、リターンプレート４９は、ケース１２の天板１２ｂ内側に突出形成された、弾性を有する突起１２ｂ１によって、ダイヤル３６（３７、３８）の方向に常に付勢される。このため、リターンプレート４９の６つの逆転防止用凸部４９ｅによって３つのダイヤル３６（３７、３８）に対して適度な回転負荷を加えることができ、ボタン錠１０の使用者がプッシュボタン５２（５３、５４）の押下操作を行ってダイヤル３６（３７、３８）を１／２ピッチ回転させるたびに、押下操作が確実に受け付けられたという操作感や安心感を使用者に与えることができる。
【００４８】
一方、図１０（ｂ）、（ｃ）に示すように、リセットボタン５１が長手方向に押し込まれた場合には、リターンプレート４９は、リセットボタン５１によって回転駆動される第２リセットカム４１の回転に伴って第２リセットカム４１に近づく方向（図１０（ｂ）の左方向）に移動される。このリターンプレート４９の移動により、逆転防止用凸部４９ｅとダイヤル３６（３７、３８）の外歯６０ａとの係止が解除されるとともに、３つの連結カム係合部４９ｂが、連結カム４２（４３、４４）の突出部４２ｃ（４３ｃ、４４ｃ）に係合されて連結カム４２（４３、４４）がダイヤル３６（３７、３８）から離れる方向に回転され、連結カム４２（４３、４４）とダイヤル３６（３７、３８）の外歯６０ａとの係止が解除される。これにより、ダイヤル３６（３７、３８）が回転可能な状態となる。
【００４９】
続いて、リセットボタン５１が長手方向にさらに押し込まれた場合には、図１１（ａ）〜（ｃ）に示すように、ゼロリセット用凸部４９ｄは、ダイヤル３６（３７、３８）のハートカム６２の外周面に当接してダイヤル３６（３７、３８）のハートカム６２を回転させながら第２リセットカム４１に近づく方向に移動され、最終的に、図１１（ｄ）に示すように、ハートカム６２に形成された凹部に嵌り込んで移動が停止される（第２の位置に停止する）。
【００５０】
また、図３（ａ）に示すように、リターンプレート４９は、第２ロッキングカム３０ｂにも係合可能な構成とされており、第２ロッキングカム３０ｂのＣ方向の回転によってもリターンプレート４９を図１１（ｄ）に示す第２の位置まで移動させることが可能である。
【００５１】
＜ボタン錠の施開錠動作＞
次に、ボタン錠１０の施開錠動作について説明する。例えば、ボタン錠１０の状態が上記図３（ａ）に示す施錠状態（ロッキングバー１４の板状部１４ｂが本体ケース１２ａから突出した状態）であり、施開錠機構２０のセンスカム３２が上記図５（ｂ）に示す規制保持位置である場合を考える。
【００５２】
＜暗証番号入力操作＞
最初に、ボタン錠１０の使用者は、３つのプッシュボタン５２〜５４を用いて予め定められた暗証番号を入力する「暗証番号入力操作」を行う。例えば、暗証番号が「１２３」である場合、使用者は、プッシュボタン５２を１回押し、プッシュボタン５３を２回押し、プッシュボタン５３を３回押して暗証番号を入力する。
【００５３】
使用者がプッシュボタン５２を１回押した場合、上記図８（ａ）〜（ｄ）に示す順番でダイヤル３６が１ピッチ（回転角度３６度）だけ時計回りに回転される。なお、ダイヤル３６の初期位置は、ダイヤル３６を１ピッチ（回転角度３６度）だけ時計回りに回転させたときに、上記図５（ｃ）に示すように、ダイヤル３６のセンスギヤ６４に形成された凹部が、センスカムギヤ３２のダイヤル収容部３２ａの凸部に噛み合う位置になるように予め設定されている。
【００５４】
また、使用者がプッシュボタン５３を２回押した場合、上記図８（ａ）〜（ｄ）に示す順番でダイヤル３７が２ピッチ（回転角度７２度）だけ時計回りに回転される。なお、ダイヤル３７の初期位置は、ダイヤル３７を２ピッチ（回転角度７２度）だけ時計回りに回転させたときに、上記図５（ｃ）に示すように、ダイヤル３７のセンスギヤ６４に形成された凹部が、センスカムギヤ３２のダイヤル収容部３２ａの凸部に噛み合う位置になるように予め設定されている。
【００５５】
また、使用者がプッシュボタン５４を３回押した場合、上記図８（ａ）〜（ｄ）に示す順番でダイヤル３８が２ピッチ（回転角度１０８度）だけ時計回りに回転される。なお、ダイヤル３８の初期位置は、ダイヤル３８を３ピッチ（回転角度１０８度）だけ時計回りに回転させたときに、上記図５（ｃ）に示すように、ダイヤル３８のセンスギヤ６４に形成された凹部が、センスカムギヤ３２のダイヤル収容部３２ａの凸部に噛み合う位置になるように予め設定されている。
【００５６】
このような手順で使用者が暗証番号を入力した結果、使用者が正確な暗証番号を入力することができなかった場合には、ダイヤル３６〜３８の凹部のいずれか１つが、ダイヤル収容部３２ａの凸部と噛み合わない状態となる。そのため、センスカム３２の板状部３２ｂがロッキングピン３０ｄまで到達せずにロッキングピン３０ｄによる第２ロッキングカム３０ｂの回動の規制が保持され、使用者は摘み５５をスライドすることはできず、ボタン錠１０を開錠状態にすることはできない。
【００５７】
一方、使用者が正確な暗証番号を入力することができた場合には、ダイヤル３６〜３８の凹部のすべてが、ダイヤル収容部３２ａの凸部と噛み合った状態となる。そのため、センスカム３２の板状部３２ｂによってロッキングピン３０ｄが上方に持ち上げられてロッキングピン３０ｄによる第２ロッキングカム３０ｂの回動が可能となる。
【００５８】
＜開錠操作＞
暗証番号入力操作によって正確な暗証番号が入力された後は、使用者は摘み５５を用いて「開錠操作」を行う。上述の第２ロッキングカム３０ｂが回動可能な状態で、使用者が摘み５５を図３（ａ）のＡ方向にスライドさせて開錠操作を行うと、第１ロッキングカム３０ａがＢ方向に回転し、この第１ロッキングカム３０ａの回転により第２ロッキングカム３０ｂがＣ方向に回転する。また、この第２ロッキングカム３０ｂの回転によりロッキングバー１４がＤ方向にスライドされて、ロッキングバー１４が、施錠位置から開錠位置まで移動され、ボタン錠１０が開錠状態（ロッキングバー１４の板状部１４ｂが本体ケース１２ａに収容された状態）となる。
【００５９】
＜リセット操作＞
暗証番号入力操作時などに暗証番号をどこまで入力したかが分からなくなったような場合には、使用者はリセットボタン５１を用いて「リセット操作」を行う。使用者がリセットボタン５１を１回押すと、上記図１０（ａ）〜（ｃ）に示す手順でリターンプレート４９が、図１０（ａ）に示す第１の位置から、図１１（ｄ）に示す第２の位置まで移動される。このリターンプレート４９の移動により、リターンプレート４９のゼロリセット用凸部４９ｄが、ダイヤル３６（３７、３８）のハートカム６２の外周面に当接してハートカム６２を回転させ、ダイヤル３６（３７、３８）を、上述の初期位置に戻す。なお、ボタン錠１０では、上述の開錠操作を行った場合にも第２ロッキングカム３０ｂによってリターンプレート４９を第２リセットカム４１の方向に移動させるように構成しており、ダイヤル３６（３７、３８）を、上述の初期位置に戻すことを可能としている。
【００６０】
以上説明したように、本実施例１に係るボタン錠１０は、開錠位置（例えば、ロッキングバー１４の板状部１４ｂがケース１２の内部に収容される位置）と施錠位置（例えば、ロッキングバー１４の板状部１４ｂの一部がケース１２の外部に突出される位置）との間を移動可能なロッキングバー（例えば、ロッキングバー１４）と、前記ロッキングバーの前記開錠位置への移動を可能とする開錠可能位置（例えば、ロッキングピン３０ｄによる第２ロッキングカム３０ｂの回動の規制を解除する位置）、および前記ロッキングバーの前記開錠位置への移動を不能とする開錠不能位置（例えば、ロッキングピン３０ｄによる第２ロッキングカム３０ｂの回動の規制を保持する位置）の間を移動可能なセンスカム（例えば、センスカム３２）と、前記センスカムの前記開錠不能位置から前記開錠可能位置への移動を許可する移動許可位置（例えば、ダイヤル３６（３７、３８）の凹部がダイヤル収容部３２ａの凸部と噛み合う回転位置）、および前記センスカムの前記開錠不能位置から前記開錠可能位置への移動を禁止する移動禁止位置（例えば、ダイヤル３６（３７、３８）の凹部がダイヤル収容部３２ａの凸部と噛み合わない回転位置）に回転可能なダイヤル（例えば、ダイヤル３６（３７、３８））と、前記ダイヤルの回転中心軸と直交する方向に移動可能に配設され、移動に伴って前記ダイヤルを所定角度だけ回転させる操作部（例えば、プッシュボタン５２（５３、５４））と、を備え、前記ロッキングバーが前記施錠位置にある場合に、前記操作部によって前記ダイヤルを前記移動禁止位置から前記移動許可位置まで回転させた後、前記センスカムを前記開錠不能位置から前記開錠可能位置へ移動させて前記ロッキングバーを前記開錠位置まで移動可能とすることを特徴とする、ボタン錠である。
【００６１】
本実施例１に係るボタン錠１０によれば、操作性を損なうことなく従来よりも装置の奥行き寸法を短くすることができ、装置の応用分野を広げることができる。なお、本発明に係る「開錠位置（また施錠位置）」とは、ロッキングバーが錠前を開錠（または施錠）することができる位置にあればよく、例えば、ロッキングバー自身が錠前の閂部材として機能する場合や、ロッキングバーの動力を他の部材を介して錠前に伝達し、錠前を開錠（または施錠）するような位置も含まれる。
【００６２】
また、前記移動禁止位置から前移動許可位置までの回転角度を異ならせた（例えば、ハートカム６２の凹部とセンスギヤ６４の凹部の周方向の位置を異ならせた）複数種類の前記ダイヤルを備え、前記複数種類のダイヤルの各々に対応する前記操作部によって前記複数種類のダイヤルすべてを前記移動禁止位置から前記移動許可位置まで回転させた場合にのみ、前記センスカムを前記開錠不能位置から前記開錠可能位置へ移動可能としてもよい。
【００６３】
このような構成とすれば、操作部によって複数種類のダイヤルすべてを移動許可位置まで回転させないとロッキングバーを開錠状態にすることができないため、ボタン錠の防犯性を、より高めることができる。
【００６４】
また、前記移動禁止位置以外の位置にある前記ダイヤルのすべてを前記移動禁止位置まで回転させるリセット手段を有するリターンプレートをさらに備えてもよい。
【００６５】
このような構成とすれば、操作部による操作の最中にダイヤルの回転位置が分からなくなった場合でも、ダイヤルを容易に移動禁止位置（初期位置）まで回転させることができ、ボタン錠の利便性を高めることができる。
【００６６】
また、前記ダイヤルの回転を規制する回転規制部材（例えば、連結カム４２（４３、４４））をさらに備え、前記リターンプレートは、前記移動禁止位置以外の位置にある前記ダイヤルのすべてを前記移動禁止位置まで回転させる前に、前記回転規制部材による前記ダイヤルの回転規制を解除する回転規制解除手段（例えば、連結カム係合部４９ｂ）をさらに備えてもよい。
【００６７】
このような構成とすれば、通常時はダイヤルの回転を規制しつつ、ダイヤルを初期位置に戻す際にダイヤルを円滑に回転させることができ、ダイヤルを確実に初期位置に戻すことができる。
【００６８】
また、前記リターンプレートは、前記ダイヤルの回転を規制する回転規制手段（例えば、逆転防止用凸部４９ｅや突起１２ｂ１）をさらに備えてもよい。
【００６９】
このような構成とすれば、ボタン錠の使用者が操作部の押下操作を行ってダイヤルを回転させるたびに、押下操作が確実に受け付けられたという操作感や安心感を使用者に与えることができる。
【００７０】
また、前記リターンプレートは、第１の位置と第２の位置の間をスライド可能に構成され、前記第１の位置において、前記回転規制手段によって前記ダイヤルの回転を規制し、前記第１の位置から前記第２の位置へ移動する間に、前記回転規制解除手段によって前記回転規制部材による前記ダイヤルの回転規制を解除し、前記第２の位置において、前記リセット手段によって前記移動禁止位置以外の位置にある前記ダイヤルのすべてを前記移動禁止位置まで回転させてもよい。
【００７１】
このような構成とすれば、リターンプレートを第１の位置と第２の位置との間でスライドさせるだけで、ダイヤルの逆転防止、ダイヤルの初期位置への移動などを行うことができ、操作性を高めることができる。
【００７２】
また、前記ロッキングバー、前記センスカム、前記ダイヤル、および前記操作部の少なくとも一部を内部に収容可能なケース（例えば、ケース１２）と、前記ケースに移動可能に配設され、前記ロッキングバーを前記開錠位置と前記施錠位置との間で移動させるロッキングカム（例えば、第２ロッキングカム３０ｂ）と、前記ケースと前記ロッキングカムに同時に係合されて前記ケースに対する前記ロッキングカムの移動を規制する移動規制手段（例えば、ロッキングピン３０ｄ）と、をさらに備え、前記センスカムは、前記開錠許可位置において前記移動規制手段と前記ケースとの係合を解除して前記ケースに対する前記ロッキングカムの移動を許可してもよい。
【００７３】
このような構成とすれば、ケースに対するロッキングカムの移動の規制を確実に行うことができる上に、規制の解除も簡易な構造で実現することができ、ロッキングバーを開錠位置と施錠位置のどちらかの位置に確実に移動させることができる。
【実施例２】
【００７４】
次に、実施例２に係るボタン錠１００について詳細に説明する。図１３は本実施例２に係るボタン錠１００の外観斜視図であり、図１４はボタン錠１００の内部構成の一部を示した図である。
【００７５】
＜全体構成＞
このボタン錠１００は、上記実施例１のロッキングバー１４に相当するロッキングバー１１４と、上記実施例１のリセットボタン５１に相当するリセットボタン１５１と、上記実施例１のプッシュボタン５２〜５４に相当するプッシュボタン１５２〜１５５と、上記実施例１のセンスカム３２に相当するセンスカム１３２と、上記実施例１のダイヤル３６〜３８に相当するダイヤル１３６〜１３９と、上記実施例１のリターンプレート４９に相当するリターンプレート１４９を備えている。
【００７６】
＜ロッキングバー＞
ロッキングバー１１４は、本体ケース１１２に回動可能に支持されているとともに、センスカム１３２に当接可能な位置に配置されており、センスカム１３２のスライドに伴ってＥ方向（図１４参照）に回動され、図示しない錠前を開錠状態にする。なお、図１４に示すロッキングバー１１４の位置は、図示しない錠前を施錠状態にする位置である。
【００７７】
＜プッシュボタン、ダイヤル＞
図１５（ａ）はプッシュボタン１５２（１５３、１５４、１５５）の外観斜視図であり、同図（ｂ）はダイヤルカム１６４の外観斜視図であり、同図（ｃ）はダイヤル１３６（１３７、１３８、１３９）の外観斜視図である。また、図１６（ａ）はボタン錠１００からプッシュボタン、ダイヤルカム、およびダイヤルだけを抜き出して側方から見た側面図であり、同図（ｂ）はボタン錠１００からプッシュボタン、ダイヤルカム、ダイヤル、および板バネだけを抜き出して上方から見た平面図である。
【００７８】
プッシュボタン１５２（１５３、１５４、１５５）は、本体ケース１１２の外部に突出して配置される操作部１６０と、この操作部１６０を基端として延出形成された２本の軸部１６２を有して構成されている。また、１本の軸部１６２の中央近傍には、ダイヤル１３６（１３７、１３８、１３９）の方向に向けて突出する突出部１６２ａが形成されている。プッシュボタン１５２（１５３、１５４、１５５）の軸部１６２の先端部１６２ｂは、本体ケース１１２の内部に嵌め込まれ、プッシュボタン１５２（１５３、１５４、１５５）は、軸部１６２の先端部１６２ｂを支点としてダイヤル１３６（１３７、１３８、１３９）の方向に揺動可能に構成されている。
【００７９】
ダイヤル１３６（１３７、１３８、１３９）は長手方向の軸心を中心に回転可能に構成される。また、プッシュボタン１５２（１５３、１５４、１５５）と、ダイヤル１３６（１３７、１３８、１３９）の間には、ダイヤル１３６（１３７、１３８、１３９）の軸心に直交する方向にスライド可能なダイヤルカム１６４が配設されている。このダイヤルカム１６４は、バネ部材１６６によってプッシュボタン１５２（１５３、１５４、１５５）の方向に付勢されている。
【００８０】
ダイヤル１３６（１３７、１３８、１３９）は、プッシュボタン１５２（１５３、１５４、１５５）がダイヤルカム１６４の付勢力に抗してダイヤル１３６（１３７、１３８、１３９）の方向に揺動された場合に、ダイヤルカム１６４のスライドに基づいて所定角度だけ回転駆動される。なお、ダイヤル１３６（１３７、１３８、１３９）を回転駆動する原理は、ダイヤルカム１６４の有無を除いて上記実施例１のダイヤル３６（３７、３８）とほぼ同じである。すなわち、プッシュボタン１５２（１５３、１５４、１５５）を押し込んでダイヤル１３６（１３７、１３８、１３９）の方向に揺動させることによって、ダイヤル１３６（１３７、１３８、１３９）を１／２ピッチ（回転角度１８度）だけ回転させた後、プッシュボタン１５２（１５３、１５４、１５５）が操作開始位置に戻るときに、ダイヤル１３６（１３７、１３８、１３９）の奥に配設された板バネ１６８の付勢力によってダイヤル１３６（１３７、１３８、１３９）をさらに１／２ピッチ（回転角度１８度）だけ回転させる。
【００８１】
＜センスカム＞
図１７（ａ）はセンスカム１３２の外観斜視図であり、同図（ｂ）はボタン錠１００からセンスカム、センスカムバネ、およびダイヤルだけを抜き出して側方から見た側面図である。
【００８２】
センスカム１３２は、ダイヤル１３６〜１３９を個別に収容可能な４つの正方形状のダイヤル収容部１３２ａと、センスカムバネ１３４の一端部が嵌め込まれる円筒形状のバネ受け部１３２ｂと、上述のロッキングバー１１４に係合される係合溝１３２ｃを有して構成されている。なお、センスカム１３２を移動させる原理は、上記実施例１のセンスカム３２とほぼ同じである。すなわち、センスカム１３２は、同図（ｂ）の上側に示すように、ダイヤル１３６〜１３９の凹部のいずれか１つ（この例では、すべて）が、ダイヤル収容部１３２ａの凸部と噛み合っていない場合には、ロッキングバー１１４の回動を可能にする位置までは移動することができないが、同図（ｂ）の下側に示すように、ダイヤル１３６〜１３９の凹部のすべてが、ダイヤル収容部１３２ａの凸部と噛み合った場合に、センスカムバネ１３４の付勢力が働く方向（図の左方向）に移動され、係合溝１３２ｃを介してロッキングバー１１４を回動させる位置まで移動する。
【００８３】
＜リセットボタン、リターンプレート＞
図１８（ａ）、（ｂ）はリターンプレート１４９の外観斜視図である。また、図１９（a）はボタン錠１００からリセットボタン、リセットカム、リターンプレート、およびダイヤルだけを抜き出して側方から見た側面図であり、同図（ｂ）は同図（ａ）のリターンプレートの主要部を反対側の面から見た図である。
【００８４】
リターンプレート１４９は、ダイヤル１３６〜１３９を個別に収容可能な楕円形状の４つのダイヤル収容部１４９ａと、各々のダイヤル収容部１４９ａに突出形成された平面視がほぼ三角形状の４つのゼロリセット用凸部１４９ｂと、各々のダイヤル収容部１４９ａ近傍に２つずつ突出形成された合計８つの逆転防止用部１４９ｃと、リターンプレートバネ１３３の一端部が嵌め込まれるバネ受け部１４９ｄと、リセットカム１７０に係合される係合ピン１４９ｅと、を有して構成されている。なお、リセットプレート１４９を移動させる原理は、リセットカム１７０を除いて上記実施例１のリセットプレート４９とほぼ同じである。すなわち、リセットボタン１５１が操作開始位置（本体ケース１１２から突出して押下操作が可能となる位置）にある場合には、リターンプレート１４９は、リターンプレートバネ１３３の付勢力によってリセットカム１７０から離れる方向に移動されるが、逆転防止用凸部１４９ｃがダイヤル１３６（１３７、１３８、１３９）の外歯に係止されて移動が停止される（第１の位置に停止する）。
【００８５】
一方、リセットボタン１５１が長手方向に押し込まれた場合には、リターンプレート１４９は、リセットボタン１５１によって回転駆動されるリセットカム１７０の回転に伴ってリセットカム１７０に近づく方向に移動される。このリターンプレート１４９の移動により、逆転防止用凸部１４９ｃとダイヤル１３６（１３７、１３８、１３９）の外歯との係止が解除され、ダイヤル１３６（１３７、１３８、１３９）が回転可能な状態となる。続いて、リセットボタン１５１が長手方向にさらに押し込まれた場合には、ゼロリセット用凸部１４９ｂは、図１９（ｂ）に示すように、ダイヤル１３６（１３７、１３８、１３９）のハートカムの外周面に当接してハートカムを回転させながらリセットカム１７０に近づく方向に移動され、最終的に、ダイヤル１３６（１３７、１３８、１３９）のハートカムに形成された凹部に嵌り込んで移動が停止される（第２の位置に停止する）。これにより、すべてのダイヤル１３６〜１３９が初期位置に戻る（リセットされる）。
【００８６】
以上説明したように、本実施例２に係るボタン錠１００は、開錠位置（例えば、図１４に示すロッキングバー１１４がＥ方向に回動した位置）と施錠位置（例えば、図１４に示すロッキングバー１１４の位置）との間を移動可能なロッキングバー（例えば、ロッキングバー１１４）と、前記ロッキングバーの前記開錠位置への移動を可能とする開錠可能位置（例えば、ロッキングバー１１４を回動させる位置）、および前記ロッキングバーの前記開錠位置への移動を不能とする開錠不能位置（例えば、ロッキングバー１１４を回動させない位置）の間を移動可能なセンスカム（例えば、センスカム１３２）と、前記センスカムの前記開錠不能位置から前記開錠可能位置への移動を許可する移動許可位置（例えば、ダイヤル１３６（１３７、１３８、１３９）の凹部がダイヤル収容部１３２ａの凸部と噛み合う回転位置）、および前記センスカムの前記開錠不能位置から前記開錠可能位置への移動を禁止する移動禁止位置（例えば、ダイヤル１３６（１３７、１３８、１３９）の凹部がダイヤル収容部１３２ａの凸部と噛み合わない回転位置）に回転可能なダイヤル（例えば、ダイヤル１３６（１３７、１３８、１３９））と、前記ダイヤルの回転中心軸と直交する方向に移動可能に配設され、移動に伴って前記ダイヤルを所定角度だけ回転させる操作部（例えば、ダイヤルカム１６４）と、を備え、前記ロッキングバーが前記施錠位置にある場合に、前記操作部によって前記ダイヤルを前記移動禁止位置から前記移動許可位置まで回転させた後、前記センスカムを前記開錠不能位置から前記開錠可能位置へ移動させて前記ロッキングバーを前記開錠位置まで移動可能とすることを特徴とする、ボタン錠である。
【００８７】
本実施例２に係るボタン錠１００によれば、操作性を損なうことなく従来よりも装置の奥行き寸法を短くすることができ、装置の応用分野を広げることができる。
【産業上の利用可能性】
【００８８】
本発明に係るボタン錠は、机の引き出しなどに適用することができる。
【符号の説明】
【００８９】
２  机
１０、１００  ボタン錠
１２、１１２  ケース
１４、１１４  ロッキングバー
２０  施開錠機構
３０  規制手段
３０ａ  第１ロッキングカム
３０ｂ  第２ロッキングカム
３０ｃ  バネ部材
３０ｄ  ロッキングピン
３２、１３２  センスカム
３３、１３３  リターンプレートバネ
３４、１３４  センスカムバネ
３６〜３８、１３６〜１３９  ダイヤル
４１  第１リセットカム
４２  第２リセットカム
４２〜４４  連結カム
４９、１４９  リターンプレート
５０  操作部
５１、１５１  リセットボタン
５２〜５４、１５２〜１５５  プッシュボタン
５５  摘み
６２  ハートカム
６４  センスギヤ
１６４  ダイヤルカム
１６６  バネ部材
１６８  板バネ
１７２  リセットカム
【図１】
2010203107.tif 000003
【図２】
2010203107.tif 000004
【図３】
2010203107.tif 000005
【図４】
2010203107.tif 000006
【図５】
2010203107.tif 000007
【図６】
2010203107.tif 000008
【図７】
2010203107.tif 000009
【図８】
2010203107.tif 000010
【図９】
2010203107.tif 000011
【図１０】
2010203107.tif 000012
【図１１】
2010203107.tif 000013
【図１２】
2010203107.tif 000014
【図１３】
2010203107.tif 000015
【図１４】
2010203107.tif 000016
【図１５】
2010203107.tif 000017
【図１６】
2010203107.tif 000018
【図１７】
2010203107.tif 000019
【図１８】
2010203107.tif 000020
【図１９】
2010203107.tif 000021